【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
サーバシステムを含み、音声指示により印刷装置を制御可能な音声制御システムであって、
前記サーバシステムは、
音声制御デバイスからの前記印刷装置に対する前記音声指示に基づいて、前記印刷装置の電源設定を変更するための変更指示を送信する送信手段、を備え、
前記印刷装置は、
前記変更指示に基づいて自動電源オン機能の設定を変更する電源設定変更手段、を備え、
前記自動電源オン機能は、印刷データの受信に基づいて前記印刷装置の電源を自動的にオンする機能である、
ことを特徴とする音声制御システム。
【請求項２】
前記サーバシステムは、前記印刷装置の前記自動電源オン機能が有効化されたことを示す画面を表示装置に表示させる手段をさらに備えることを特徴とする請求項１に記載の音声制御システム。
【請求項３】
前記表示装置は、
前記印刷装置の設定に関する画面を表示するための表示指示を受信する受信手段と、
前記受信手段により前記表示指示を受信すると、前記印刷装置の設定に関する画面の表示データを取得する第１の取得手段と、
前記第１の取得手段により取得した前記表示データに基づいて、前記印刷装置の設定に関する画面を表示する表示手段と、を備える、
ことを特徴とする請求項２に記載の音声制御システム。
【請求項４】
前記第１の取得手段は、前記表示データを前記印刷装置から取得することを特徴とする請求項３に記載の音声制御システム。
【請求項５】
前記音声指示が前記印刷装置の設定の変更の指示である場合、前記表示装置による前記印刷装置の設定に関する画面の表示の後に前記印刷装置の設定を変更する変更手段、をさらに備えることを特徴とする請求項３又は４に記載の音声制御システム。
【請求項６】
前記音声制御デバイスにより前記音声指示を受け付けた場合、前記印刷装置の設定に基づいて、当該音声指示による変更を行うか否かを判定する判定手段、をさらに備え、
前記判定手段により前記音声指示による変更を行わないと判定された場合、前記変更手段は、前記印刷装置の設定の変更を行わないことを特徴とする請求項５に記載の音声制御システム。
【請求項７】
前記印刷装置の設定を取得する第２の取得手段、をさらに備え、
前記判定手段は、前記第２の取得手段により取得した前記印刷装置の設定に基づいて、前記音声指示による変更を行うか否かを判定することを特徴とする請求項６に記載の音声制御システム。
【請求項８】
前記第２の取得手段により取得した前記印刷装置の設定が、前記音声指示により変更される前記印刷装置の設定と同じである場合、前記判定手段は、前記音声指示による変更を行わないと判定することを特徴とする請求項７に記載の音声制御システム。
【請求項９】
前記印刷装置の設定に関する画面に対応するＵＲＬを使用することで、前記印刷装置の設定に関する画面が前記印刷装置により提供されることを特徴とする請求項３乃至８のいずれか１項に記載の音声制御システム。
【請求項１０】
サーバシステムを含み、音声指示により印刷装置を制御可能な音声制御システムにおいて実行される制御方法であって、
前記サーバシステムが、
音声制御デバイスからの前記印刷装置に対する前記音声指示に基づいて、前記印刷装置の電源設定を変更するための変更指示を送信する送信工程と、
前記印刷装置が、
前記変更指示に基づいて自動電源オン機能の設定を変更する電源設定変更工程と、
を有し、
前記自動電源オン機能は、印刷データの受信に基づいて前記印刷装置の電源を自動的にオンする機能である、
ことを特徴とする制御方法。
【請求項１１】
前記サーバシステムが、前記印刷装置の前記自動電源オン機能が有効化されたことを示す画面を表示装置に表示させる工程をさらに有することを特徴とする請求項１０に記載の制御方法。
【請求項１２】
前記表示装置が、
前記印刷装置の設定に関する画面を表示するための表示指示を受信する受信工程と、
前記受信工程において前記表示指示を受信すると、前記印刷装置の設定に関する画面の表示データを取得する第１の取得工程と、
前記第１の取得工程において取得した前記表示データに基づいて、前記印刷装置の設定に関する画面を表示する表示工程と、
をさらに有することを特徴とする請求項１１に記載の制御方法。
【請求項１３】
前記第１の取得工程では、前記表示データを前記印刷装置から取得することを特徴とする請求項１２に記載の制御方法。
【請求項１４】
前記音声指示が前記印刷装置の設定の変更の指示である場合、前記表示装置による前記印刷装置の設定に関する画面の表示の後に前記印刷装置の設定を変更する変更工程、をさらに有することを特徴とする請求項１２又は１３に記載の制御方法。
【請求項１５】
前記音声制御デバイスにより前記音声指示を受け付けた場合、前記印刷装置の設定に基づいて、当該音声指示による変更を行うか否かを判定する判定工程、をさらに有し、
前記判定工程において前記音声指示による変更を行わないと判定された場合、前記変更工程では、前記印刷装置の設定の変更を行わないことを特徴とする請求項１４に記載の制御方法。
【請求項１６】
前記印刷装置の設定を取得する第２の取得工程、をさらに有し、
前記判定工程では、前記第２の取得工程において取得した前記印刷装置の設定に基づいて、前記音声指示による変更を行うか否かを判定することを特徴とする請求項１５に記載の制御方法。
【請求項１７】
前記第２の取得工程において取得した前記印刷装置の設定が、前記音声指示により変更される前記印刷装置の設定と同じである場合、前記判定工程では、前記音声指示による変更を行わないと判定することを特徴とする請求項１６に記載の制御方法。
【請求項１８】
前記印刷装置の設定に関する画面に対応するＵＲＬを使用することで、前記印刷装置の設定に関する画面が前記印刷装置により提供されることを特徴とする請求項１２乃至１７のいずれか１項に記載の制御方法。
【手続補正２】
【補正対象書類名】明細書
【補正対象項目名】発明の名称
【補正方法】変更
【補正の内容】
【発明の名称】音声制御システム、制御方法
【手続補正３】
【補正対象書類名】明細書
【補正対象項目名】０００１
【補正方法】変更
【補正の内容】
【０００１】
本発明は、音声制御デバイスを含む音声制御システム、制御方法に関する。
【手続補正４】
【補正対象書類名】明細書
【補正対象項目名】０００５
【補正方法】変更
【補正の内容】
【０００５】
本発明の目的は、このような従来の問題点を解決することにある。上記の点に鑑み、音声指示によってリモート操作により出力装置の設定を行う、音声制御デバイスを含む音声制御システム、制御方法を提供することを目的とする。
【手続補正５】
【補正対象書類名】明細書
【補正対象項目名】０００６
【補正方法】変更
【補正の内容】
【０００６】
上記課題を解決するため、本発明に係る音声制御システムは、サーバシステムを含み、音声指示により印刷装置を制御可能な音声制御システムであって、前記サーバシステムは、音声制御デバイスからの前記印刷装置に対する前記音声指示に基づいて、前記印刷装置の電源設定を変更するための変更指示を送信する送信手段、を備え、前記印刷装置は、前記変更指示に基づいて自動電源オン機能の設定を変更する電源設定変更手段、を備え、前記自動電源オン機能は、印刷データの受信に基づいて前記印刷装置の電源を自動的にオンする機能である、ことを特徴とする。
【手続補正６】
【補正対象書類名】明細書
【補正対象項目名】０００７
【補正方法】変更
【補正の内容】
【０００７】
本発明によれば、音声指示によってリモート操作により出力装置の設定を行うことができる。